(57)【要約】【課題】レンズカバーを備え、小型化が可能なプロジェクターを提供する。【解決手段】プロジェクター１は、画像光を投写する投写レンズ３６と、投写レンズ３６を収納し、投写レンズ３６から射出された画像光が通過する投写用開口部２１１を有する外装筐体２と、投写用開口部２１１を閉塞し、画像光を透過させる透過状態と画像光を遮光する遮光状態とを切り替え可能な液晶シャッター６を有するレンズカバー５とを備えている。【選択図】図３
2011128339.tif 000002
【特許請求の範囲】
【請求項１】
光源から射出された光束を画像情報に応じて変調して画像光を形成し、前記画像光を投写レンズにて投写するプロジェクターであって、
前記投写レンズを収納し、前記投写レンズから射出された前記画像光が通過する投写用開口部を有する外装筐体と、
前記投写用開口部を閉塞し、前記画像光を透過させる透過状態と前記画像光を遮光する遮光状態とを切り替え可能な液晶シャッターを有するレンズカバーと、
を備えることを特徴とするプロジェクター。
【請求項２】
請求項１に記載のプロジェクターであって、
前記液晶シャッターは、前記透過状態および前記遮光状態を切り替え可能な切替え領域、および前記切替え領域を包囲し、前記光束を遮光する遮光領域を有し、
前記遮光領域は、前記投写用開口部の内周縁より内側に設けられることを特徴とするプロジェクター。
【請求項３】
請求項２に記載のプロジェクターであって、
前記投写レンズを移動可能なレンズシフト機構をさらに備え、
前記切替え領域は、前記レンズシフト機構に連動して移動することを特徴とするプロジェクター。
【請求項４】
請求項１〜請求項３のいずれか一項に記載のプロジェクターであって、
前記液晶シャッターは、電圧が印加されていない際に前記遮光状態になることを特徴とするプロジェクター。
【発明の詳細な説明】
【技術分野】
【０００１】
本発明は、画像光を投写するプロジェクターに関する。
【背景技術】
【０００２】
従来、光源から射出された光束を画像情報に応じて変調して画像光を形成し、この画像光を投写レンズにて拡大投写するプロジェクターが知られている。このプロジェクターには、投写レンズの保護を目的として、投写レンズの画像光を射出する側を覆うようにレンズカバーが設けられたものが知られている（例えば、特許文献１参照）。
【０００３】
特許文献１に記載のプロジェクターは、投写レンズから射出された画像光が通過する投写用開口部（前面開口部）が外装筐体に設けられ、この投写用開口部を開閉するように構成されたレンズカバー(遮蔽機構)を備えている。
レンズカバーは、保持部材、レール案内部、遮蔽部材、および検出スイッチ等を有し、外装筐体の内部に取り付けられる。保持部材は、外装筐体に固定され、レール案内部は、保持部材に取り付けられる。遮蔽部材は、保持部材およびレール案内部にスライド移動可能に保持され、スチールボールおよびコイルバネが配置されている。レンズカバーは、遮蔽部材がスライド移動されることによって投写用開口部を開閉する。そして、遮蔽部材は、コイルバネによって付勢されたスチールボールがレール案内部の傾斜面に当接して投写用開口部を閉塞する状態と開口する状態とに位置決めされるようになっている。検出スイッチは、遮蔽部材が投写用開口部を開口する状態を検出するように構成されている。
【先行技術文献】
【特許文献】
【０００４】
【特許文献１】特開２００８−２６８７１６号公報
【発明の概要】
【発明が解決しようとする課題】
【０００５】
しかしながら、特許文献１に記載のプロジェクターは、レンズカバーを構成する多数の構成部材を配置するスペースや、遮蔽部材をスライド移動させるスペースが必要になるため、小型化が難しいという課題がある。また、投写用開口部が開口された状態においては、投写用開口部から塵埃が進入し、投写される画像の品質を劣化させる恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調して画像光を形成し、前記画像光を投写レンズにて投写するプロジェクターであって、前記投写レンズを収納し、前記投写レンズから射出された前記画像光が通過する投写用開口部を有する外装筐体と、前記投写用開口部を閉塞し、前記画像光を透過させる透過状態と前記画像光を遮光する遮光状態とを切り替え可能な液晶シャッターを有するレンズカバーと、を備えることを特徴とする。
【０００８】
この構成によれば、レンズカバーは、透過状態と遮光状態とを切り替え可能な液晶シャッターを有し、外装筐体の投写用開口部を閉塞する。これによって、レンズカバーは、プロジェクターが画像光を投写する状態、および画像光を投写しない状態の双方において、移動されることなく投写レンズを保護することができる。よって、プロジェクターは、レンズカバーを移動させるためのスペースが不要なので、小型化が可能となる。
また、プロジェクターは、画像光を投写する際にも投写用開口部がレンズカバーによって閉塞されているので、外部からの塵埃の進入を効率的に抑制することができる。よって、投写される画像光の画質の劣化を長期的に抑制することが可能となり、プロジェクターの長寿命化が図れる。
【０００９】
［適用例２］上記適用例に係るプロジェクターにおいて、前記液晶シャッターは、前記透過状態および前記遮光状態を切り替え可能な切替え領域、および前記切替え領域を包囲し、前記光束を遮光する遮光領域を有し、前記遮光領域は、前記投写用開口部の内周縁より内側に設けられていることが好ましい。
【００１０】
この構成によれば、液晶シャッターには、切替え領域および遮光領域が設けられ、切替え領域が変更されることによって透過状態と遮光状態とが切り替えられる。つまり、液晶シャッターは、投写レンズから射出された画像光（以下、「投写画像光」という）がこの切替え領域から射出されるようになっている。
また、遮光領域は、切替え領域を包囲し、投写用開口部の内周縁より内側に設けられている。これによって、光源から射出され、投写用開口部の内周縁と投写レンズとの隙間（以下、「周縁部隙間」という）に向かう投写画像光以外の光束（以下、「散乱光」という）を遮光領域によって遮ることが可能となる。よって、散乱光が漏れ光として投写用開口部から外部に射出されることを抑制し、この漏れ光がスクリーンに映り込んで投写画像の画質を低下させたり、使用者に不快感を与えたりすることを抑制することが可能となる。
【００１１】
［適用例３］上記適用例に係るプロジェクターにおいて、前記投写レンズを移動可能なレンズシフト機構をさらに備え、前記切替え領域は、前記レンズシフト機構に連動して移動することが好ましい。
【００１２】
この構成によれば、切替え領域は、レンズシフト機構に連動して移動する。つまり、切替え領域を包囲する遮光領域は、移動レンズシフト機構に連動して移動することとなる。これによって、投写レンズが移動された際に生じる周縁部隙間の寸法変化に追従して切替え領域を移動させ、遮光領域で開口部隙間の一部を覆うように構成することが可能となる。これによって、レンズシフト機構を備えるプロジェクターにおいて、投写用開口部からの光漏れを抑制すると共に、投写用開口部からプロジェクター内部の構成部品を見えにくくすることができる。よって、投写画像の画質を低下させたり、使用者に不快感を与えたりすることを抑制すると共に、高級感のある外観を有するプロジェクターの提供が可能となる。
【００１３】
［適用例４］上記適用例に係るプロジェクターにおいて、前記液晶シャッターは、電圧が印加されていない際に前記遮光状態になることが好ましい。
【００１４】
この構成によれば、液晶シャッターは、電圧が印加されていない際に遮光状態になるので、プロジェクターが起動されていない場合はもとより、光源が非点灯の場合等に電圧を液晶シャッターに印加させないように構成することで、投写用開口部を隠蔽し、投写用開口部からプロジェクターの内部を見えなく構成することができる。よって、使用者が特定の操作をすることなく画像光を投写しない際のプロジェクターの外観性向上が可能となる。
【図面の簡単な説明】
【００１５】
【図１】第１実施形態のプロジェクターの外観を示す斜視図。
【図２】第１実施形態のプロジェクターの概略構成を示す模式図。
【図３】第１実施形態のプロジェクターを模式的に示す断面図。
【図４】第１実施形態の液晶シャッターを模式的に示す斜視図。
【図５】第１実施形態の透過状態のプロジェクターを前方から見た模式図。
【図６】第１実施形態の遮光状態のプロジェクターを前方から見た模式図。
【図７】第２実施形態のレンズシフト機構を説明するための模式図。
【図８】第２実施形態の液晶シャッターを模式的に示す平面図。
【図９】第２実施形態のプロジェクターを前方から見た模式図。
【発明を実施するための形態】
【００１６】
（第１実施形態）
以下、第１実施形態に係るプロジェクターについて、図面を参照して説明する。
本実施形態のプロジェクターは、光源から射出された光束を画像情報に応じて変調して画像光を形成し、その画像光をスクリーン等に拡大投写する。
図１は、本実施形態のプロジェクターの外観を示す斜視図である。図２は、本実施形態のプロジェクターの概略構成を示す模式図である。
【００１７】
プロジェクター１は、図１、図２に示すように、外装を構成する外装筐体２、制御部（図示省略）、光源装置３１を有する光学ユニット３、光源装置３１や制御部に電力を供給する電源装置４、レンズカバー５、および外装筐体２内を冷却する冷却ファン（図示省略）等を備えている。なお、以下では、説明の便宜上、光源装置３１から光束が射出される方向を＋Ｘ方向、投写レンズ３６から画像光が投写される方向を＋Ｙ方向（前方向）、Ｘ方向およびＹ方向に直交し、図１の図面視における上を＋Ｚ方向（上方向）として記載する。
【００１８】
外装筐体２は、合成樹脂製であり、図１に示すように、上部を構成するアッパーケース２１、下部を構成するロアーケース２２等を備えており、これらは、ネジ等により固定されている。
図１に示すように、アッパーケース２１の前面２１Ｆには、前方から見て矩形状の開口部（投写用開口部２１１）が形成されており、この投写用開口部２１１の内側には、光学ユニット３に備えられた投写レンズ３６が配置されている。そして、投写レンズ３６から射出された画像光（投写画像光）は、この投写用開口部２１１を通過して前方に投写される。
【００１９】
アッパーケース２１の上面２１Ｔには、操作パネル２０が配置されている。操作パネル２０は、プロジェクター１の各種設定を行うためのメニュー画像の表示／非表示を切り替えるメニューキー、入力ソースを切り替えるソース切替えキー、および後述する液晶シャッター６（図２参照）を操作するシャッター切替えキー等、各種指示を行うための複数のキー等を備えている。
図示は省略するが、外装筐体２には、外気を取り込むための吸気口や、外装筐体２内の温まった空気を外部に排出するための排気口等が設けられている。
【００２０】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２１】
光学ユニット３は、制御部による制御の下、光源装置３１から射出された光束を光学的に処理し、画像情報に応じた画像光を形成して投写する。
光学ユニット３は、図２に示すように、光源装置３１に加え、照明光学装置３２、色分離光学装置３３、リレー光学装置３４、電気光学装置３５、投写レンズ３６、およびこれらの光学部品３１〜３６を光路上の所定位置に配置する光学部品用筐体３７を備える。
【００２２】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２３】
照明光学装置３２は、第１レンズアレイ３２１、第２レンズアレイ３２２、偏光変換素子３２３、および重畳レンズ３２４を備える。
第１レンズアレイ３２１は、光軸方向から見て外形形状が略矩形に形成され、マトリックス状に配列された小レンズを有して構成されており、光源装置３１から射出された光束を複数の部分光束に分割する。第２レンズアレイ３２２は、第１レンズアレイ３２１と略同様の構成を有しており、重畳レンズ３２４とともに、部分光束を後述する液晶パネル３５２の表面に略重畳させる。偏光変換素子３２３は、第２レンズアレイ３２２から射出されたランダム偏光光を液晶パネル３５２で利用可能な略１種類の偏光光に揃える機能を有する。
【００２４】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００２５】
リレー光学装置３４は、入射側レンズ３４１、リレーレンズ３４３、および反射ミラー３４２，３４４を備え、色分離光学装置３３で分離されたＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００２６】
電気光学装置３５は、入射側偏光板３５１、光変調素子としての液晶パネル３５２、射出側偏光板３５３、色合成光学装置としてクロスダイクロイックプリズム３５４を備え、色分離光学装置３３で分離された各色光を画像情報に応じて変調し、画像光を形成する。
入射側偏光板３５１は、３色の色光毎に備えられており、色分離光学装置３３で分離された各色光のうち、偏光変換素子３２３で揃えられた偏光光を透過し、その偏光光と異なる偏光光を吸収して液晶パネル３５２に射出する。
【００２７】
液晶パネル３５２は、３色の色光毎に備えられており（Ｒ光用の液晶パネルを３５２Ｒ、Ｇ光用の液晶パネルを３５２Ｇ、Ｂ光用の液晶パネルを３５２Ｂとする）、入射側偏光板３５１から射出された光束を変調する。
射出側偏光板３５３は、入射側偏光板３５１と略同様の機能を有し、液晶パネル３５２から射出された光束のうち一定方向の偏光光を透過し、その他の光束を吸収する。
【００２８】
クロスダイクロイックプリズム３５４は、４つの直角プリズムを貼り合わせた平面視略正方形状をなし、直角プリズム同士を貼り合わせた界面には、２つの誘電体多層膜が形成されている。誘電体多層膜は、液晶パネル３５２Ｒ，３５２Ｂにて変調され、射出側偏光板３５３を介して射出された色光を反射し、液晶パネル３５２Ｇにて変調され、射出側偏光板３５３を介して射出された色光を透過する。このように、電気光学装置３５は、各液晶パネル３５２にて変調された各色光をクロスダイクロイックプリズム３５４が合成して画像光を形成する。
【００２９】
投写レンズ３６は、複数のレンズを組み合わせた組レンズとして構成され、電気光学装置３５にて形成された画像光をスクリーン上に拡大投写する。投写レンズ３６は、ネジ等によって光学部品用筐体３７に取り付けられる。
【００３０】
レンズカバー５は、アッパーケース２１と投写レンズ３６との間に、投写用開口部２１１を閉塞するように配置される。レンズカバー５は、液晶シャッター６を備え、投写レンズ３６を保護すると共に、この液晶シャッター６が画像光を透過させる透過状態と画像光を遮光する遮光状態とを切り替え可能に構成されている。
【００３１】
ここで、レンズカバー５について詳細に説明する。
図３は、プロジェクター１を模式的に示す図であり、レンズカバー５近傍を示す断面図である。
レンズカバー５は、図３に示すように、液晶シャッター６に加え、レンズカバー用ケーブル５１およびフレーム５２を備えている。
【００３２】
図４は、液晶シャッター６を模式的に示す斜視図である。図５は、透過状態のプロジェクター１を前方から見た模式図である。
図４に示すように、液晶シャッター６は、ＴＮ（Twisted Nematic）型の液晶パネル６１、および液晶パネル６１に貼付された第１偏光板６２、第２偏光板６３を備えている。
液晶パネル６１は、画像光が入射する側の透明基板６１１と光束が射出する側の透明基板６１２との間に電気光学物質である液晶が封入されて構成されている。
【００３３】
透明基板６１１および透明基板６１２には、互いが対向する面にＩＴＯ（Indium Thin Oxide）などの透明導電膜からなる電極が形成されている。具体的に、透明基板６１１には、セグメント電極が形成され、透明基板６１２には、コモン電極が形成されている。そして、液晶シャッター６の略中央部には、セグメント電極およびコモン電極が略円形となるように正対する領域が形成されている。
【００３４】
この略円形の領域は、投写画像光が照射される領域であり、この領域に照射される画像光の大きさより大きく設定されている。この略円形の領域は、第１偏光板６２および第２偏光板６３が液晶パネル６１に貼付されることによって、透過状態および遮光状態を切り替え可能な切替え領域６Ａとして構成される。また、切替え領域６Ａは、図５に示すように、投写用開口部２１１より小さく設定されている。
【００３５】
液晶パネル６１には、図４、図５に示すように、切替え領域６Ａを包囲し、投写用開口部２１１の内周縁より内側に形成された遮光領域６Ｂが設けられている。遮光領域６Ｂは、光束を遮光するための領域として形成され、液晶が封入されている。
【００３６】
また、透明基板６１１の＋Ｚ側の端部には、図４に示すように、透明基板６１２より＋Ｚ方向に突出する接続端子部６１１Ｓが形成されている。接続端子部６１１Ｓには、セグメント電極とコモン電極との間に電圧を印加させるための入力端子としての電極が形成されている。
【００３７】
レンズカバー用ケーブル５１は、フレキシブル基板等で形成され、一端が液晶パネル６１の接続端子部６１１Ｓに電気的に接続固定され、他端が制御部に着脱可能に接続される。
【００３８】
液晶パネル６１は、レンズカバー用ケーブル５１を介して制御部から駆動信号が入力され、電極間に所定の電圧が印加されることによって液晶の配向状態が制御され、入射する光束の偏光方向を制御する。
具体的に、液晶パネル６１は、電極間に所定の電圧が印加されていないＯＦＦ状態において、液晶分子が厚み方向に略９０°ねじれた状態で入射する光束の偏光方向を略９０°回転させて透過させる。
一方、液晶パネル６１は、駆動信号が入力され、電極間に所定の電圧が印加されるＯＮ状態において、液晶分子が電極に対して略垂直方向に揃うように並び、入射する光束の偏光方向を変えずに透過させる。
【００３９】
つまり、液晶パネル６１は、ＯＦＦ状態において、切替え領域６Ａに入射する光束の偏光方向を変え、ＯＮ状態において、切替え領域６Ａに入射する光束の偏光方向を変えないように動作する。そして、液晶パネル６１は、遮光領域６Ｂにおいて、セグメント電極とコモン電極とが正対して形成されていないため、ＯＮ状態およびＯＦＦ状態に関わらず液晶分子に電界が加わらず、厚み方向に略９０°ねじれた状態を維持し、入射する光束の偏光方向を変える。
【００４０】
なお、液晶パネル６１としては、ＴＮ型の液晶パネルに限らず、ＳＴＮ（Super twisted nematic）型の液晶や、コレクテリック液晶等を用いたもので構成してもよい。また、透明基板は、ガラス製に限らず柔軟性を有するフィルム材等で構成してもよい。
【００４１】
第１偏光板６２は、透明基板６１１の表面に貼付され、投写画像光と同一方向の偏光光を透過し、その他の光束を吸収する。第２偏光板６３は、透明基板６１２の表面に貼付され、第１偏光板６２と同一方向の偏光光を透過し、その他の光束を吸収する。また、第１偏光板６２および第２偏光板６３は、図５に示すように、平面視において、投写用開口部２１１より大きくなるように形成されている。なお、図示は省略するが、透明基板６１１と透明基板６１２とを貼り合わせ、液晶を封入するためのシール材は、平面視において、投写用開口部２１１の外側に位置するように形成されている。
【００４２】
フレーム５２は、合成樹脂製であり、図３に示すように、液晶シャッター６を保持し、アッパーケース２１に固定されるように構成されている。
具体的に、フレーム５２は、液晶シャッター６を収納するように箱状に形成され、投写画像光が通過する開口部、およびレンズカバー用ケーブル５１が挿通される孔を有している。そして、フレーム５２は、図示しない係止部やネジ等によりアッパーケース２１の前面２１Ｆと反対側の内面２１Ｂに固定される。
【００４３】
ここで、液晶シャッター６の動作について説明する。
図６は、遮光状態のプロジェクター１を前方から見た模式図である。
液晶シャッター６は、前述した操作パネル２０のシャッター切替えキーやリモコンの操作に対応してＯＮ状態とＯＦＦ状態とが切り替えられる。
【００４４】
液晶シャッター６の切替え領域６Ａは、ＯＦＦ状態において、図６に示すように、光束を遮光する遮光状態となる。具体的に、切替え領域６Ａに入射する投写画像光は、第１偏光板６２を透過した後、液晶パネル６１にて偏光方向が変更され、第２偏光板６３にて吸収される。
【００４５】
一方、切替え領域６Ａは、ＯＮ状態において、図５に示すように、光束を透過する透過状態となる。具体的に、切替え領域６Ａに入射する投写画像光は、第１偏光板６２を透過した後、液晶パネル６１にて偏光方向が変更されずに、第２偏光板６３を透過し、投写用開口部２１１を通過して外部に射出される。
また、液晶シャッター６は、光源３１１が非点灯の場合、制御部の指示のもとＯＦＦ状態、つまり切替え領域６Ａが遮光状態となるように設定されている。
【００４６】
液晶シャッター６の遮光領域６Ｂは、図５、図６に示すように、ＯＦＦ状態およびＯＮ状態に関わらず光束を遮光する状態を維持する。具体的に、遮光領域６Ｂに入射する光束は、第１偏光板６２にて所定方向の偏光光が透過し、他の光束が吸収される。そして、第１偏光板６２を透過した光束は、液晶パネル６１にて偏光方向が変えられた後、第２偏光板６３にて吸収される。
【００４７】
ところで、外装筐体２内には、光源３１１から射出され、画像光の形成に寄与しない光束が存在する。この光束の内、投写用開口部２１１の内周縁と投写レンズ３６との隙間（周縁部隙間）に向かう散乱光Ｌ１の一部は、図３に示すように、投写用開口部２１１の内周縁より内側に設けられている遮光領域６Ｂによって吸収される。
【００４８】
このように、液晶シャッター６は、ＯＦＦ状態、つまり、所定の電圧が印加されていない際に遮光状態となって投写画像光を遮光し、ＯＮ状態、つまり、所定の電圧が印加された際に透過状態となって投写画像光を透過する。そして、液晶シャッター６は、ＯＦＦ状態、ＯＮ状態に関わらず遮光領域６Ｂにて入射する光束を遮光する。
【００４９】
以上説明したように、本実施形態のプロジェクター１によれば、以下の効果を得ることができる。
（１）レンズカバー５は、プロジェクター１が画像光を投写する状態、および画像光を投写しない状態の双方において、移動されることなく投写レンズ３６を保護する。よって、プロジェクター１は、レンズカバー５を移動させるためのスペースが不要なので、小型化が可能となる。
【００５０】
（２）プロジェクター１は、画像光を投写する際にも投写用開口部２１１がレンズカバー５によって閉塞されているので、外部からの塵埃の進入を効率的に抑制することができる。よって、投写される画像光の画質の劣化を長期的に抑制することが可能となり、プロジェクター１の長寿命化が図れる。
【００５１】
（３）液晶シャッター６は、遮光領域６Ｂが投写用開口部２１１の内周縁より内側に設けられている。これによって、散乱光Ｌ１の一部を遮光領域６Ｂによって遮り、漏れ光として投写用開口部２１１から外部に射出されることを抑制することが可能となる。よって、投写用開口部２１１からの漏れ光がスクリーンに映り込んで投写画像の画質を低下させたり、使用者に不快感を与えたりすることを抑制することが可能となる。特に、ホームシアター用途のように、暗所でプロジェクター１を使用することを前提とした場合、画質の低下や観察者に不快感を与えることを効率的に抑制することが可能となる。
【００５２】
（４）プロジェクター１は、遮光状態の際に、切替え領域６Ａおよび遮光領域６Ｂによって投写用開口部２１１が隠蔽される。また、プロジェクター１は、透過状態の際に、遮光領域６Ｂによって周縁部隙間の一部が隠蔽されて投写用開口部２１１の周縁部の内側からプロジェクター１内の構造物が見えにくくなる。これによって、高級感のある外観を有するプロジェクター１の提供が可能となる。
【００５３】
（５）遮光部材が移動されることによって投写用開口部２１１を開閉する構成に比べ、簡単な構成で投写レンズ３６を保護できるので、製造工程の簡素化や低コスト化が図れる。
【００５４】
（６）液晶シャッター６は、プロジェクター１が起動されていない場合、および光源３１１が非点灯の場合に遮光状態になるので、使用者が特定の操作をすることなく画像光を投写しない際のプロジェクターの外観性向上が可能となる。
【００５５】
（第２実施形態）
次に、第２実施形態に係るプロジェクター１０について、図面を参照して説明する。
以下の説明では、第１実施形態と同様の構造および同様の部材には、同一符号を付し、その詳細な説明は省略または簡略化する。
本実施形態のプロジェクター１０は、投写レンズ３６を移動可能なレンズシフト機構７をさらに備え、第１実施形態の液晶パネル６１と電極パターンが異なる液晶パネル１６１を有するレンズカバー１５を備えている。
【００５６】
先ず、レンズシフト機構７について説明する。
図７は、レンズシフト機構７を説明するための模式図である。
レンズシフト機構７は、図７に示すように、ベース部７１、レンズ保持部７２、駆動装置７３および図示しない位置検出部等を備え、光学部品用筐体３７と投写レンズ３６との間に配置されている。
【００５７】
ベース部７１は、レンズ保持部７２を±Ｚ方向（上下方向）に移動可能に案内し、光学部品用筐体３７に取り付けられている。レンズ保持部７２は、投写レンズ３６を保持し、ベース部７１に沿って移動可能に構成されている。駆動装置７３は、図示しないモーターや歯車等を有する輪列部、および制御部に接続されるレンズシフト用ケーブル等を備え、制御部の制御に基づいてレンズ保持部７２を投写レンズ３６と共に移動させる。
【００５８】
位置検出部は、ベース部７１に対するレンズ保持部７２の位置、つまり投写レンズ３６の位置を検出する機能を有している。位置検出部としては、例えば、レンズ保持部７２の移動に伴って抵抗値が変化する位置センサー等を用いることができる。そして、位置検出部は、検出した結果をレンズシフト用ケーブルを介して制御部に出力する。
【００５９】
なお、投写レンズ３６の位置を検出する方法として、レンズシフト機構の位置検出部を廃止し、駆動装置７３のモーターとしてステッピングモーターを使用して投写レンズ３６の初期の位置を記憶部に記憶させるように構成してもよい。そして、投写レンズ３６は、ステッピングモーターの回転量から初期の位置に対する移動量が算出されることによって、位置の検出が可能となる。
【００６０】
投写画像光は、投写レンズ３６が移動されることに追従して移動し、スクリーン等の投写面に投写される画像は、±Ｚ方向（上下方向）の位置が変更される。また、本実施形態の外装筐体２の投写用開口部２１１は、投写レンズ３６が移動されることに伴って移動する投写画像光が通過するように、±Ｚ方向（上下方向）が±Ｘ方向より大きな長孔に形成されている（図９参照）。
【００６１】
次に、レンズカバー１５について説明する。
レンズカバー１５は、液晶シャッター１６、図示しないレンズカバー用ケーブルおよびフレームを備え、第１実施形態のレンズカバー５と同様に、アッパーケース２１に固定される。液晶シャッター１６は、液晶パネル１６１に加え、第１実施形態と同様に、液晶パネル１６１の光束が入射する側に貼付された第１偏光板６２、および液晶パネル１６１の光束が射出する側に貼付された第２偏光板６３を備えている。また、第１偏光板６２、および第２偏光板６３は、吸収する光束の偏光方向が第１実施形態と同一となるように液晶パネル１６１に貼付されている。
【００６２】
図８は、液晶シャッター１６を模式的に示す平面図である。
液晶パネル１６１は、図８に示すように、セグメント電極およびコモン電極によって、複数の微小画素（図示省略）がマトリックス状に配列された画素領域１６１Ｇを有している。画素領域１６１Ｇは、液晶シャッター１６の略中央部に形成され、投写レンズ３６が移動されることに伴って移動する投写画像光が照射される領域であり、±Ｚ方向（上下方向）の寸法が±Ｘ方向の寸法より大きくなるように形成されている。画素領域１６１Ｇは、この領域に照射される画像光の大きさより大きく設定され、投写用開口部２１１より小さく設定されている（図９参照）。
【００６３】
画素領域１６１Ｇには、液晶シャッター１６が透過状態および遮光状態を切り替え可能な切替え領域１６Ａが設けられ、この切替え領域１６Ａは、レンズシフト機構７に連動して移動するように構成されている。また、切替え領域１６Ａ以外の画素領域１６１Ｇ、および画素領域１６１Ｇを囲む領域は、光束を遮光する遮光領域１６Ｂとして構成される。つまり、遮光領域１６Ｂは、切替え領域１６Ａを包囲するように形成され、第１実施形態と同様に、投写用開口部２１１の内周縁より内側に形成されている（図９参照）。
【００６４】
液晶パネル１６１の光束が入射する側の透明基板の＋Ｚ側の端部には、接続端子部１６１１Ｓが設けられている。接続端子部１６１１Ｓには、セグメント電極とコモン電極との間に電圧を印加させるための入力端子としての電極が形成されている。そして、セグメント電極、コモン電極および接続端子部１６１１Ｓの電極は、画素毎に液晶の配向状態が制御可能に形成されている。
【００６５】
レンズカバー用ケーブルは、図示は省略するが、フレキシブル基板等で形成され、一端が接続端子部１６１１Ｓに電気的に接続固定され、他端が制御部に着脱可能に接続される。そして、液晶パネル１６１は、レンズカバー用ケーブルを介して制御部から駆動信号が入力されて画素毎に配向状態が制御される。
【００６６】
フレームは、第１実施形態のフレーム５２と同様に、液晶シャッター１６を収納するように箱状に形成され、投写画像光が通過する開口部、およびレンズカバー用ケーブルが挿通される孔を有している。そして、フレームは、図示しない係止部やネジ等によりアッパーケース２１の前面２１Ｆと反対側の内面２１Ｂに固定される。
【００６７】
ここで、液晶シャッター１６の動作について説明する。
液晶シャッター１６は、レンズシフト機構７の位置検出部の結果に基づき、制御部からの駆動信号によって画素毎に配向状態が制御され、切替え領域１６Ａが移動する。
図９は、プロジェクター１０を前方から見た模式図であり、（ａ）は、プロジェクター１０の遮光状態を示す図、（ｂ）は、投写レンズ３６が下側に移動されたプロジェクター１０の透過状態を示す図、（ｃ）は、投写レンズ３６が上側に移動されたプロジェクター１０の透過状態を示す図である。
【００６８】
液晶シャッター１６は、ＯＦＦ状態において、図９（ａ）に示すように、画素領域１６１Ｇが遮光領域１６Ｂと同様に、光束を遮光する遮光状態となる。具体的に、画素領域１６１Ｇに入射する投写画像光は、第１偏光板６２を透過した後、液晶パネル６１にて偏光方向が変更され、第２偏光板６３にて吸収される。
【００６９】
一方、液晶シャッター１６は、ＯＮ状態において、投写レンズ３６の位置に応じて画素領域１６１Ｇ内に切替え領域１６Ａが形成され、切替え領域１６Ａは、入射する画像光を透過する透過状態となる。
【００７０】
具体的に、ＯＮ状態になると、位置検出部は、投写レンズ３６の位置に応じた検出結果を制御部に出力し、制御部は、位置検出部の検出結果に基づいた駆動信号を液晶シャッター１６に出力する。液晶シャッター１６は、制御部からの駆動信号に応じて画素毎に液晶の配置状態が制御される。そして、切替え領域１６Ａは、投写レンズ３６の位置に対応して形成され、投写レンズ３６が下側に位置する状態の場合には、図９（ｂ）に示すように、画素領域１６１Ｇの下側に形成され、投写レンズ３６が上側に位置する状態の場合には、図９（ｃ）に示すように、画素領域１６１Ｇの上側に形成される。そして、投写画像光は、第１実施形態の液晶シャッター６と同様に、第１偏光板６２を透過した後、液晶パネル１６１にて偏光方向が変更されずに、第２偏光板６３を透過し、投写用開口部２１１を通過して外部に射出される。
【００７１】
遮光領域１６Ｂは、切替え領域１６Ａの移動に伴って切替え領域１６Ａを包囲するように移動する。つまり、遮光領域１６Ｂは、図９（ｂ）、（ｃ）に示すように、投写レンズ３６が移動されることによって変化する周縁部隙間の寸法に応じて投写用開口部２１１の内周縁より内側に延びる寸法（延設寸法）が変わる。具体的に、遮光領域１６Ｂは、周縁部隙間の寸法が大きくなる場合には、延設寸法が大きくなり、周縁部隙間の寸法が小さくなる場合には、延設寸法が小さくなり、周縁部隙間を覆うように形成される。そして、遮光領域１６Ｂは、第１実施形態と同様に、散乱光Ｌ１の一部を吸収する。
【００７２】
このように、液晶シャッター１６は、レンズシフト機構７に連動して切替え領域１６Ａが移動し、透過状態と遮光状態とが切り替えられる。そして、遮光領域１６Ｂは、投写レンズ３６が移動されることに伴う周縁部隙間の寸法変化に追従して延設寸法が変わる。
【００７３】
以上説明したように、本実施形態のプロジェクター１０によれば、第１実施形態の効果に加えて、以下の効果を得ることができる。
切替え領域１６Ａは、レンズシフト機構７に連動して移動し、遮光領域１６Ｂが変化する周縁部隙間の寸法に追従して周縁部隙間を覆うように形成される。これによって、レンズシフト機構７を備えたプロジェクター１０において、投写用開口部２１１からの光漏れを抑制すると共に、投写用開口部２１１からプロジェクター１０内部の構成部品を見えにくくすることができる。よって、投写画像の画質を低下させたり、使用者に不快感を与えたりすることを抑制すると共に、高級感のある外観を有するプロジェクター１０の提供が可能となる。
【００７４】
（変形例）
なお、前記実施形態は、以下のように変更してもよい。
遮光状態の際に電気光学装置３５が光束の透過を抑制するように構成してもよい。これによって、液晶シャッター６，１６に到達する光束が減少するので、液晶シャッター６，１６は、光エネルギーを吸収することに伴う温度上昇による劣化が抑制され、長期に亘って安定して透過状態および遮光状態の切り替えが可能となる。
【００７５】
プロジェクター１，１０に光源から射出された光束の通過光量を調整する調光装置を搭載し、遮光状態において、この調光装置が通過光量を抑制するように構成してもよい。これによって、液晶シャッター６，１６に到達する光束をさらに減少させることができるので、液晶シャッター６，１６は、光エネルギーを吸収することに伴う温度上昇による劣化がさらに抑制され、長期に亘って安定して透過状態および遮光状態の切り替えが可能となる。
【００７６】
前記第２実施形態の画素領域１６１Ｇは、投写用開口部２１１より小さく形成されているが、投写用開口部２１１より大きく形成し、遮光領域１６Ｂが投写用開口部２１１の内周縁より内側に設定される制御を行う構成にしてもよい。これによって、液晶シャッター１６を投写用開口部２１１の大きささや形状が異なる他の機種のプロジェクターに共通に使用することが可能となる。
【００７７】
前記第２実施形態のレンズシフト機構７は、モーターを有して電動式で投写レンズ３６を移動するように構成されているが、ダイヤル等を操作することによって投写レンズ３６を移動する手動式で構成してもよい。
【００７８】
前記第２実施形態のレンズシフト機構７は、投写レンズ３６を±Ｚ方向（上下方向）に移動可能に構成されているが、±Ｚ方向（上下方向）に加えて±Ｘ方向に移動可能に構成してもよい。
【００７９】
前記実施形態のレンズカバー５，１５は、アッパーケース２１と投写レンズ３６との間に配置されているが、第２偏光板６３の表面とアッパーケース２１の前面２１Ｆとが略揃うように構成してもよい。また、第２偏光板６３の前面側に光透過部材を配置するように構成してもよい。
【００８０】
前記実施形態の第１偏光板６２を削除するように構成してもよい。遮光領域６Ｂ，１６Ｂに入射する散乱光Ｌ１の内、第２偏光板６３を透過する方向の偏光光が透過することになるが、漏れ光を抑制しつつレンズカバー５，１５の部品点数の削減、および薄型化が図れる。
【００８１】
前記実施形態のプロジェクター１，１０は、光変調素子として透過型の液晶パネル３５２を用いているが、反射型液晶パネルを利用したものであってもよい。また、光変調素子は、マイクロミラーアレイを用いたデバイス等を使用したものであってもよい。
【００８２】
前記実施形態の光源装置３１は、放電型の光源３１１を採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【００８３】
１，１０…プロジェクター、２…外装筐体、３…光学ユニット、５，１５…レンズカバー、６，１６…液晶シャッター、６Ａ，１６Ａ…切替え領域、６Ｂ，１６Ｂ…遮光領域、７…レンズシフト機構、２１…アッパーケース、２２…ロアーケース、３６…投写レンズ、３７…光学部品用筐体、６２…第１偏光板、６３…第２偏光板、１６１Ｇ…画素領域、２１１…投写用開口部、３１１…光源。
【図１】
2011128339.tif 000003
【図２】
2011128339.tif 000004
【図３】
2011128339.tif 000005
【図４】
2011128339.tif 000006
【図５】
2011128339.tif 000007
【図６】
2011128339.tif 000008
【図７】
2011128339.tif 000009
【図８】
2011128339.tif 000010
【図９】
2011128339.tif 000011